(57)【要約】【課題】  隣接妨害比を満足しつつ、低コストで実現できるデジタル放送受信機における復調回路を提供することである。【解決手段】  上記課題は、帯域フィルタにより希望の受信チャネルに対応する信号を選択抽出して復調するデジタル放送受信機（１）における復調回路（３０）であって、前記受信チャネルの検出状況に応じて前記帯域フィルタ（３１）の帯域幅を可変する帯域可変制御手段（４０）を備えることを特徴とする復調回路にて達成される。【選択図】  図２
2005109936.tif 000002
【特許請求の範囲】
【請求項１】
帯域フィルタにより希望の受信チャネルに対応する信号を選択抽出して復調するデジタル放送受信機における復調回路であって、
前記受信チャネルの検出状況に応じて前記帯域フィルタの帯域幅を可変する帯域可変制御手段を備えることを特徴とする復調回路。
【請求項２】
請求項１記載の復調回路であって、
前記帯域可変手段は、前記受信チャネルのサーチ開始時と、サーチ開始後に受信チャネルを受信した状態で前記帯域フィルタの帯域幅を可変することを特徴とする復調回路。
【請求項３】
請求項１又は２記載の復調回路であって、
前記帯域可変制御手段は、外部からの制御情報に基づいて、前記帯域フィルタの帯域幅を可変的に制御することを特徴とする復調回路。
【請求項４】
請求項１乃至３いずれか記載の復調回路であって、
前記帯域フィルタがデジタルフィルタで構成されることを特徴とする復調回路。
【請求項５】
デジタル放送受信機における帯域フィルタの可変制御方法であって、
希望の受信チャネルのサーチ開始時に前記帯域フィルタの帯域幅を第一の帯域に設定し、
前記受信チャネル受信後に、前記帯域フィルタの帯域幅を第二の帯域に設定することを特徴とする帯域フィルタの可変制御方法。
【請求項６】
請求項５記載の帯域フィルタの可変制御方法であって、
前記第一の帯域を狭めるように前記帯域フィルタの帯域幅を制御し、前記第二の帯域を広げるように前記帯域フィルタの帯域幅を制御することを特徴とする帯域フィルタの可変制御方法。
【請求項７】
請求項５又は６記載の帯域フィルタの可変制御方法であって、
前記第一の帯域設定及び前記第二の帯域設定を外部からの制御情報に基づいて、設定することを特徴とする帯域フィルタの可変制御方法。
【発明の詳細な説明】
【技術分野】
【０００１】
本発明は、デジタル放送受信機における復調回路および帯域フィルタの可変制御方法に関する。  
【背景技術】
【０００２】
近年、デジタル音声放送が実現され、欧州デジタルオーディオ放送（ＤＡＢ：Ｄｉｇｉｔａｌ Ａｕｄｉｏ Ｂｒｏａｄｃａｓｔｉｎｇ）規格に則り放送されるデジタルオーディオ放送を受信するデジタル放送受信機が製品化されている。このＤＡＢ方式に基づくデジタル放送受信機は、移動体受信において、マルチパスによるノイズの影響を受けないなどの特徴を有することからＣＤ並の音声、およびデータを提供することが可能となっている。
【０００３】
さて、上記のようなＤＡＢ方式のデジタル放送受信機では、アンテナでデジタル放送信号が受信されると、チューナ部で希望チャネルの同調選択がなされる。具体的には、まず、ＲＦの希望波信号が中間周波信号（ＩＦ信号）に周波数変換され、Ａ／Ｄ変換部でデジタル信号に変換される。その後、復調回路のデジタルフィルタでフィルタリング処理が施されベースバンド信号に復調される。このようにして、希望チャネルの信号が抽出され復調される。
【０００４】
一方で、欧州のテレビジョンシステムに関して、第一中間周波バンドパスフィルタの通過帯域幅を一種類に統一して、しかもデジタルテレビジョン信号の占める帯域幅が狭い場合でも隣接チャンネルからの妨害を受けにくくするデジタルテレビジョンチューナの技術が開示されている（例えば、特許文献１参照）。
【特許文献１】特開２００１−３５２４９５号公報
【発明の開示】
【発明が解決しようとする課題】
【０００５】
上記のように、ＤＡＢ方式のデジタル放送受信機で使用される復調回路には、デジタルフィルタが構成されている。デジタルフィルタには、通過帯域を電気的に可変して設定し、妨害を除去する通過帯域幅可変型のデジタルフィルタがあるが、その設定により妨害除去能力、すなわち隣接チャネル妨害除去能力が大きく変わってくる。例えば、フィルタの帯域を狭めれば、隣接妨害には優位になるが、希望チャネルの帯域も削られてしまうため、受信電力が低下し、安定した受信には好ましくない。一方、フィルタの帯域を広くすれば、希望チャネルのみの受信に対しては最適となるが、隣接妨害除去能力は悪くなってしまう。
【０００６】
ＤＡＢ方式のデジタル放送受信機では、希望チャネルの隣接に妨害が入ってきた場合、一旦希望チャネルを受信した状態で妨害波が入ってきた場合より、希望信号、妨害信号が同時に入ってきた状態でチャネルサーチさせたときのほうが、隣接妨害比が悪くなることがある。
【０００７】
また、ＩＦ段のＩＦフィルタとしては、良好な周波数特性が得られやすいことから、表面弾性波フィルタ（ＳＡＷフィルタ）が用いられるが、比較的安価な汎用のＳＡＷフィルタでは、選択度が充分でない場合があり、その場合、隣接妨害比の劣化が顕著なものとなるという問題があった。
【０００８】
さらに、実用上は、希望信号、妨害信号を同時に入れた場合に所望の隣接妨害比を満足してチャネルサーチが可能となることが要求され、同時に所定のＢＥＲ（ビット誤り率）を得ることが要求される。
【０００９】
本発明は、上記のような問題点に鑑みてなされたもので、その課題とするところは、隣接妨害比を満足しつつ、低コストで実現できるデジタル放送受信機における復調回路および帯域フィルタの可変制御方法を提供することである。
【課題を解決するための手段】
【００１０】
上記課題を解決するため、本発明は、請求項１に記載されるように、帯域フィルタにより希望の受信チャネルに対応する信号を選択抽出して復調するデジタル放送受信機における復調回路であって、前記受信チャネルの検出状況に応じて前記帯域フィルタの帯域幅を可変する帯域可変制御手段を備えることを特徴としている。
【００１１】
また、本発明の請求項２によれば、前記復調回路であって、前記帯域可変手段は、前記受信チャネルのサーチ開始時と、サーチ開始後に受信チャネルを受信した状態で前記帯域フィルタの帯域幅を可変することを特徴としている。
【００１２】
また、本発明の請求項３によれば、前記復調回路であって、前記帯域可変制御手段は、外部からの制御情報に基づいて、前記帯域フィルタの帯域幅を可変的に制御することを特徴としている。
【００１３】
また、本発明の請求項４によれば、前記復調回路であって、前記帯域フィルタがデジタルフィルタで構成されることを特徴としている。
【００１４】
上記本発明によれば、チャネルサーチ時と希望チャネル受信後のデジタルフィルタの帯域幅を可変的に制御することで、隣接妨害を除去しつつ所望の受信品質を得ることが可能になる。その結果、装置の小型化、低コスト化を実現することができる。
【発明の効果】
【００１５】
本発明によれば、チャネルサーチ時と希望チャネル受信後のデジタルフィルタの帯域幅を可変的に制御することで、隣接妨害を除去しつつ所望の受信品質を得ることが可能になる。その結果、装置の小型化、低コスト化を実現することができる。
【発明を実施するための最良の形態】
【００１６】
以下、本発明の実施の形態を、図１を参照して説明する。
【００１７】
図１は、本発明に係るＤＡＢ方式のデジタル放送受信機（以下、ＤＡＢ受信機という）のブロック図である。このＤＡＢ受信機１は、チューナ部１０と、ベースバンド復調部３０、制御部４０とに大別され、チューナ部１０は、ピンダイオード等による可変型のＡＴＴ（減衰器）１１、１４５２ＭＨｚ−１４９１ＭＨｚを通過帯域とするＬ−Ｂａｎｄ  ＢＰＦ（Band Pass Filter）ａ１２、Ｌ−Ｂａｎｄ  ＢＰＦｂ１３、利得、ＮＦを確保するためのＬ−Ｂａｎｄ  ＬＮＡ（Low Noise
Amp）１４、ＲＦ周波数（１４５２．９６ＭＨｚ−１４９０．６２４ＭＨｚ）をＶＨＦ帯に変換するＬ−Ｂａｎｄ  ＭＩＸ（ミキサ）１５、Ｌ−Ｂａｎｄ  ＯＳＣ（局部発振器）１６、ＶＨＦ帯フィルタ１７、ＰＬＬ（Phase Lock Loop）１８、ＲＥＦ  ＣＬＯＣＫ（基準クロック発信器）１９、ＶＨＦ帯周波数を３８．９１２ＭＨｚ（１ｓｔ  ＩＦ）にダウンコンバートする１ｓｔ  ＯＳＣ２０、１ｓｔ  ＭＩＸ２１、３８．９１２ＭＨｚフィルタ（ＢＰＦ）２２、３８．９１２ＭＨｚを２．０４８ＭＨｚあるいは３．０７２ＭＨｚの２ｎｄ  ＩＦにダウンコンバートする２ｎｄ  ＯＳＣ２３、２ｎｄ  ＭＩＸ２４、２．０４８ＭＨｚフィルタ２５、２．０４８ＭＨｚのアナログＩＦ信号出力をデジタル信号に変換するＡ／Ｄ変換器（Ａ／Ｄ）２６から構成される。ベースバンド復調部３０は、デジタルフィルタ３１、復調処理部３２から構成される。デジタルフィルタ３１は、２．０４８ＭＨｚ±９４４ＫＨｚを通過帯域として設定し、復調処理部３２は、デジタルフィルタ３１から出力される希望チャネルの信号を復調する。また、制御部４０は、例えば、マイコンであって、ベースバンド復調部３０内のデジタルフィルタ３１の帯域を可変させるための制御信号を送出する。
【００１８】
図２は、本発明によるデジタルフィルタの帯域幅可変制御処理の手順を示すフローチャートである。
【００１９】
同図において、制御部４０は、チューナ部１０でのチャネルサーチ処理の開始を検出（ステップＳ１）すると、デジタルフィルタ３１の帯域幅をＢＷａ（狭帯域）に設定させるための指示を制御信号として送出（ステップＳ２）する。制御部４０からの制御信号には、デジタルフィルタ３１の帯域幅をＢＷａに設定させるためのフィルタ設定情報（フィルタ係数の情報）が含まれる。デジタルフィルタ３１は、制御部４０から受けとったフィルタ設定情報にしたがってフィルタ係数を設定し、帯域幅ＢＷａに設定する。
【００２０】
このようにしてデジタルフィルタ３１の帯域幅がＢＷａに設定された後、チューナ部１０でのチャネルサーチが開始（ステップＳ３）され、制御部４０において希望チャネルの受信が検出（ステップＳ４でＹＥＳ）されると、制御部４０は、デジタルフィルタ３１の帯域幅をＢＷｂ（広帯域）に設定させるための指示を制御信号として送出（ステップＳ５）する。デジタルフィルタ３１は、制御部４０から受けとったフィルタ設定情報にしたがってフィルタ係数を設定し、帯域幅ＢＷｂに設定する。なお、制御部４０は、ステップＳ４の判定において、希望チャネルの受信が検出されていない（ステップＳ４でＮＯ）と判定されたときは、希望チャネルの受信が検出されるまでチャネルサーチ処理をモニタする。
【００２１】
このように本実施形態では、チャネルサーチ開始時に、デジタルフィルタの帯域幅が狭くるように制御され（ＢＷａ）、サーチ後、希望チャネルを受信した時点で、デジタルフィルタの帯域幅が広くなるように制御（ＢＷｂ）される。
【００２２】
図３は、デジタルフィルタの帯域幅可変制御の概念を模式的に示す図である。同図（ａ）は、チャネルサーチ時のデジタルフィルタの帯域幅を表しており、同図（ｂ）は希望チャネル受信後に変更されたデジタルフィルタの帯域幅を表している図である。同図（ａ）、（ｂ）ともに実線はデジタル放送受信信号（例：ＯＦＤＭ信号）を表し、点線は帯域フィルタの特性を表している。同図（ａ）が示すように、チャネルサーチ時には、デジタルフィルタの帯域幅が狭められる。例えば、上記±９４４ＫＨｚの帯域幅を±９００ＫＨｚのように狭めるように制御する。これにより、チャネルサーチ時の隣接妨害除去比の劣化が低減され、十分な妨害波の除去効果が得られるようになり、希望チャネルが捕まりやすくなる。この結果、隣接妨害波によってサーチが停止しないといった現象の発生を回避することができる。
【００２３】
また、チャネルサーチ後、希望チャネルの受信状態に入ると、本実施形態では、デジタルフィルタの帯域幅は同図（ｂ）が示すように、広められるように制御される。例えば、上記±９４４ＫＨｚの通過帯域が±１０００ＫＨｚのように広めるように制御される。これにより、希望チャネルの帯域が削られることなくデジタル放送受信信号がベースバンド復調部３０の復調処理部３２に供給されることになり、復調処理部３２では誤り率の劣化を生じることなく高品質の復調デジタル信号を得ることができる。
【００２４】
このように本実施形態によれば、チャネルサーチ時と希望チャネル受信後のデジタルフィルタの帯域幅を可変的に制御することで、隣接妨害を除去しつつ所望の受信品質を得ることが可能になる。その結果、汎用のＳＡＷフィルタの使用が可能となり、ベースバンド復調部３２の小型化（ベースバンド復調用ＩＣの小型化）が可能となる。よって、ＤＡＢ受信機１の小型化及び低コスト化が実現可能となる。
【００２５】
上記実施形態では、デジタルフィルタの帯域幅を狭める一例として、上記±９４４ＫＨｚの通過帯域を±９００ＫＨｚに、広める一例として、上記±９４４ＫＨｚの通過帯域を±１０００ＫＨｚに制御する場合を示したが、制御される帯域幅は使用されるベースバンド復調部のＩＣを供給するＩＣメーカで示される特性（温度特性など）に応じて異なる。したがって、デジタルフィルタの帯域幅の制御値は、上記特性を考慮して決定すればよく、上記例に限定されるものではない。
【００２６】
また、上記実施形態では、チャネルサーチ処理の開始時に、制御部４０からデジタルフィルタ３１の帯域幅をＢＷａ（狭帯域）に設定させるためのフィルタ設定情報を送出する態様を例示したが、このような実施形態に限定されるものではない。例えば、フィルタのメモリにフィルタ設定情報を格納しておき、制御部４０からの指示に基づいて、フィルタ設定情報をメモリから読み出し、フィルタの帯域幅を設定するような態様であってもよい。
【００２７】
なお、本実施形態では本発明をＤＡＢ受信機に適用する場合について説明したが、他のデジタルシステムで使用されるベースバンド復調部（ベースバンド復調用ＩＣ）のデジタルフィルタに可変設定機能があれば、勿論本発明を適用することが可能である。
【図面の簡単な説明】
【００２８】
【図１】本発明に係るＤＡＢ方式のデジタル放送受信機のブロック図である。
【図２】本発明によるデジタルフィルタの帯域幅可変制御処理の手順を示すフローチャートである。
【図３】デジタルフィルタの帯域幅可変制御の概念を模式的に示す図である。
【符号の説明】
【００２９】
１  ＤＡＢ受信機
１０  チューナ部
１１  ＡＴＴ
１２  Ｌ−Ｂａｎｄ  ＢＰＦ（Band Pass Filter）ａ
１３  Ｌ−Ｂａｎｄ  ＢＰＦｂ
１４  Ｌ−Ｂａｎｄ  ＬＮＡ（Low Noise
Amp）
１５  Ｌ−Ｂａｎｄ  ＭＩＸ（ミキサ）
１６  Ｌ−Ｂａｎｄ  ＯＳＣ（局部発振器）
１７  ＶＨＦ帯フィルタ
１８  ＰＬＬ（Phase Lock Loop）
１９  ＲＥＦ  ＣＬＯＣＫ（基準クロック発信器）
２０  １ｓｔ  ＯＳＣ
２１  １ｓｔ  ＭＩＸ
２２  ３８．９１２ＭＨｚフィルタ（ＢＰＦ）
２３  ２ｎｄ  ＯＳＣ
２４  ２ｎｄ  ＭＩＸ
２５  ２．０４８ＭＨｚフィルタ
２６  Ａ／Ｄ変換器
３０  ベースバンド復調部
３１  デジタルフィルタ
３２  復調処理部
４０  制御部（マイコン）
【図１】
2005109936.tif 000003
【図２】
2005109936.tif 000004
【図３】
2005109936.tif 000005